(57)【要約】【課題】検体間のキャリーオーバーを回避できる自動分析装置、および検体分注方法を提供する。【解決手段】キャリーオーバー回避レベルの高い分析項目と、キャリーオーバー回避レベルの低い分析項目の両方の分析を行う自動分析装置１であって、キャリーオーバー回避レベルの高い分析項目の検体分注と、キャリーオーバー回避レベルの低い分析項目用の検体の小分け分注とを、ディスポーザブルチップを装填して行なう第１検体分注装置６と、第１検体分注装置６により小分け分注されたキャリーオーバー回避レベルの低い分析項目用の検体を、小分け収容するアリコート容器９と、キャリーオーバー回避レベルの低い分析項目の検体分注を、連続使用するプローブを装填して行なう第２検体分注装置５と、を備える。【選択図】        図１
2010133827.tif 000002
【特許請求の範囲】
【請求項１】
キャリーオーバー回避レベルの高い分析項目とキャリーオーバー回避レベルの低い分析項目の両方の分析を行う自動分析装置であって、
キャリーオーバー回避レベルの高い分析項目の検体分注と、キャリーオーバー回避レベルの低い分析項目用の検体の小分け分注とを、ディスポーザブルチップを装填して行なう第１検体分注手段と、
前記第１検体分注手段により小分け分注されたキャリーオーバー回避レベルの低い分析項目用の検体を、小分け収容する収容手段と、
キャリーオーバー回避レベルの低い分析項目の検体分注を、連続使用するプローブを装填して行なう第２検体分注手段と、
を備え、前記第２検体分注手段は前記収容手段から検体を分注することを特徴とする自動分析装置。
【請求項２】
同一検体について、前記第１検体分注手段によるキャリーオーバー回避レベルの高い分析項目の検体容器からの検体分注と、前記第２検体分注手段によるキャリーオーバー回避レベルの低い分析項目の前記収容手段からの検体分注とを並行して行なうことを特徴とする請求項１に記載の自動分析装置。
【請求項３】
前記収容手段は、前記第１検体分注手段および前記第２検体分注手段の分注プローブの軌跡上であって、交差する位置に設けられることを特徴とする請求項１または２に記載の自動分析装置。
【請求項４】
前記収容手段を、前記第１検体分注手段による検体小分け位置と、前記第２検体分注手段による検体分注位置とに搬送する搬送手段を備えることを特徴とする請求項１または２に記載の自動分析装置。
【請求項５】
キャリーオーバー回避レベルの高い分析項目は免疫学的分析項目または遺伝学的分析項目であり、キャリーオーバー回避レベルの低い分析項目は生化学的分析項目であることを特徴とする請求項１〜４のいずれか一つに記載の自動分析装置。
【請求項６】
前記第１検体分注手段および前記第２検体分注手段は、独立して回動するが回動軸は共通である２本の駆動アームにそれぞれ備えられることを特徴とする請求項１〜５のいずれか一つに記載の自動分析装置。
【請求項７】
前記収容手段は、アリコート容器であることを特徴とする請求項１〜６のいずれか一つに記載の自動分析装置。
【請求項８】
前記アリコート容器は、収容する検体が替わるたびに洗浄して再使用されることを特徴とする請求項７に記載の自動分析装置。
【請求項９】
前記アリコート容器は、収容する検体が替わるたびに廃棄され、新しい容器に変更されることを特徴とする請求項７に記載の自動分析装置。
【請求項１０】
１検体毎にキャリーオーバー回避レベルの低い分析項目の分析に要する検体量を算出する算出手段と、
前記算出手段により算出した検体量を記憶する記憶手段を備えることを特徴とする請求項１〜９のいずれか一つに記載の自動分析装置。
【請求項１１】
キャリーオーバー回避レベルの高い分析項目について再検査を行なう場合は、新しいチップを装填した前記第１検体分注手段を用いて前記検体容器から分注し、キャリーオーバー回避レベルの低い分析項目について再検査を行なう場合は、新しいチップを装填した前記第１検体分注手段を用いて前記検体容器から前記収容手段に再度検体を小分け後、前記第２検体分注手段で前記収容手段から分注するよう制御する分注制御部を備えることを特徴とする請求項１〜１０のいずれか一つに記載の自動分析装置。
【請求項１２】
前記第２検体分注手段のプローブを洗浄する洗浄装置を備えることを特徴とする請求項１〜１１のいずれか一つに記載の自動分析装置。
【請求項１３】
キャリーオーバー回避レベルの高い分析項目を分析する分析モジュールと、キャリーオーバー回避レベルの低い分析項目を分析する分析モジュールとが、個別のユニットとして設置されることを特徴とする請求項１〜１２のいずれか一つに記載の自動分析装置。
【請求項１４】
キャリーオーバー回避レベルの高い分析項目を分析する分析モジュールと、キャリーオーバー回避レベルの低い分析項目を分析する分析モジュールとが、１つのユニット内に設置されることを特徴とする請求項１〜１２のいずれか一つに記載の自動分析装置。
【請求項１５】
キャリーオーバー回避レベルの高い分析項目とキャリーオーバー回避レベルの低い分析項目の両方の分析を行う自動分析装置における検体分注方法であって、
キャリーオーバー回避レベルの低い分析項目の分析に要する検体を、ディスポーザブルチップを装填するキャリーオーバー回避レベルの高い分析項目用の第１検体分注手段を用いて、検体容器から収容手段に分注する小分け分注ステップと、
同一検体について、前記検体容器から前記第１検体分注手段を使用してキャリーオーバー回避レベルの高い分析項目用の検体を分注する第１検体分注ステップと、
同一検体について、前記収容手段から連続使用するプローブを装填する第２検体分注手段を使用してキャリーオーバー回避レベルの低い分析項目用の検体を分注する第２検体分注ステップと、
を含むことを特徴とする自動分析装置における検体分注方法。
【請求項１６】
同一検体について、前記第１検体分注ステップと前記第２検体分注ステップとを並行して行なうことを特徴とする請求項１５に記載自動分析装置における検体分注方法。
【請求項１７】
キャリーオーバー回避レベルの高い分析項目は免疫学的分析項目または遺伝学的分析項目であり、キャリーオーバー回避レベルの低い分析項目は生化学的分析項目であることを特徴とする請求項１５または１６に記載の自動分析装置における検体分注方法。
【請求項１８】
前記収容手段は、アリコート容器であることを特徴とする請求項１５〜１７のいずれか一つに記載の自動分析装置における検体分注方法。
【請求項１９】
前記アリコート容器は、収容する検体が替わるたびに洗浄して使用されることを特徴とする請求項１８に記載の自動分析装置における検体分注方法。
【請求項２０】
前記アリコート容器は、収容する検体が替わるたびに新しいものに変更されることを特徴とする請求項１８に記載の自動分析装置における検体分注方法。
【請求項２１】
１検体毎にキャリーオーバー回避レベルの低い分析項目の分析に要する検体量を算出する算出ステップと、
前記算出ステップで算出した検体量を記憶する記憶手段から、前記検体量を抽出する抽出ステップを含むことを特徴とする請求項１５〜２０のいずれか一つに記載の自動分析装置における検体分注方法。
【請求項２２】
キャリーオーバー回避レベルの高い分析項目について再検査を行なう場合は、新しいチップを装填した前記第１検体分注手段を用いて前記検体容器から分注し、キャリーオーバー回避レベルの低い分析項目について再検査を行なう場合は、新しいチップを装填した前記第１検体分注手段を用いて前記検体容器から前記収容手段に検体小分け後、前記第２検体分注手段で前記収容手段から分注することを特徴とする請求項１５〜２１のいずれか一つに記載の自動分析装置における検体分注方法。
【請求項２３】
前記第１検体分注ステップ後に、前記第１検体分注手段のディスポーザブルチップを廃棄、交換するノズルチップ交換ステップを含むことを特徴とする請求項１５〜２２のいずれか一つに記載の自動分析装置における検体分注方法。
【請求項２４】
前記第２検体分注ステップは、１つの分析項目の分注が終了するたびに前記第２検体分注手段のプローブを洗浄装置にて洗浄する洗浄ステップを含むことを特徴とする請求項１５〜２３のいずれか一つに記載の自動分析装置における検体分注方法。
【発明の詳細な説明】
【技術分野】
【０００１】
本発明は、キャリーオーバー回避レベルが異なる分析項目の分析を行う自動分析装置、ならびに前記自動分析装置で使用される検体分注方法に関するものである。
【背景技術】
【０００２】
近年、検査室の省力化の流れに伴い、生化学的分析装置に各種の免疫学的分析項目に対応するモジュールを搭載した生化学分析および免疫学的分析の兼用装置、統合装置や、１台の自動分析装置に生化学的分析用モジュールおよび免疫学的分析用モジュールを組み込んだ複合装置が開発されている。
【０００３】
しかしながら、免疫学的分析項目は正常値および異常値間の数値差が極めて大きく、生化学的分析項目では問題にならない程度の微量の検体間キャリーオーバーが存在する場合でも、当該キャリーオーバーにより擬陽性判定を招いてしまうおそれがある。このため、生化学分析および免疫学的分析の兼用装置や複合装置において、検体間キャリーオーバーを防止するために、先に免疫学的分析を実施し、後で生化学的分析を行い、免疫学的分析項目において再検査の必要がある場合は、分注プローブを検体液面の内部まで挿入し、キャリーオーバーの影響を低減する自動分析システムが開示されている（例えば、特許文献１参照）。
【０００４】
さらに、キャリーオーバー回避レベルの高い分析項目用の分注は、ディスポーザブルなノズルチップを使用し、キャリーオーバー回避レベルの低い分析項目用の分注は、繰り返し使用するノズルを使用して行い、キャリーオーバー回避レベルの高い分析項目の分析結果により再検査不要と判定された後に、キャリーオーバー回避レベルの低い分析項目の分析を行う分析方法が開示されている（例えば、特許文献２および３参照）。
【０００５】
【特許文献１】特許第３８４５３０１号公報
【特許文献２】特許第３３８０５４２号公報
【特許文献３】特許第４１０１４６６号公報
【発明の開示】
【発明が解決しようとする課題】
【０００６】
しかしながら、特許文献１に記載の自動分析システムでは、検体液面から分注する場合に比較してキャリーオーバーの影響を低減しうるものの、キャリーオーバーを完全に回避できるものではなく、また免疫学的分析と生化学分析の検体分注を同時に行うものではない。
【０００７】
また、特許文献２または３に記載の分析方法は、キャリーオーバーの回避は可能であるものの、キャリーオーバー回避レベルの高い分析項目の再検査の可否が判明するまで、キャリーオーバー回避レベルの低い分析項目の分析を行うことができないため、処理能力が大幅に低下するという問題を有していた。
【０００８】
本発明は、上記に鑑みてなされたものであって、検体間のキャリーオーバーを回避できるとともに、大幅に処理能力を向上しうる自動分析装置、および検体分注方法を提供することを目的とする。
【課題を解決するための手段】
【０００９】
上述した課題を解決し、目的を達成するために、本発明にかかる自動分析装置は、キャリーオーバー回避レベルの高い分析項目と、キャリーオーバー回避レベルの低い分析項目の両方の分析を行う自動分析装置であって、キャリーオーバー回避レベルの高い分析項目の検体分注と、キャリーオーバー回避レベルの低い分析項目用の検体の小分け分注とを、ディスポーザブルチップを装填して行なう第１検体分注手段と、前記第１検体分注手段により小分け分注されたキャリーオーバー回避レベルの低い分析項目用の検体を、小分け収容する収容手段と、キャリーオーバー回避レベルの低い分析項目の検体分注を、連続使用するプローブを装填して行なう第２検体分注手段と、を備え、前記第２検体分注手段は前記収容手段から検体を分注することを特徴とする。
【００１０】
また、本発明の自動分析装置は、上記の発明において、同一検体について、前記第１検体分注手段によるキャリーオーバー回避レベルの高い分析項目の検体容器からの検体分注と、前記第２検体分注手段によるキャリーオーバー回避レベルの低い分析項目の前記収容手段からの同一検体の検体分注とを並行して行なうことを特徴とする。
【００１１】
また、本発明の自動分析装置は、上記の発明において、前記収容手段は、前記第１検体分注手段および前記第２検体分注手段の分注プローブの軌跡上であって、交差する位置に設けられることを特徴とする。
【００１２】
また、本発明の自動分析装置は、上記の発明において、前記収容手段を、前記第検体１分注手段による検体小分け位置と、前記第２検体分注手段による検体分注位置とに搬送する搬送手段を備えることを特徴とする。
【００１３】
また、本発明の自動分析装置は、上記の発明において、キャリーオーバー回避レベルの高い分析項目は免疫学的分析項目または遺伝学的分析項目であり、キャリーオーバー回避レベルの低い分析項目は生化学的分析項目であることを特徴とする。
【００１４】
また、本発明の自動分析装置は、上記の発明において、前記第１検体分注手段および前記第２検体分注手段は、独立して回動するが回転軸は共通である２本の駆動アームにそれぞれ備えられることを特徴とする。
【００１５】
また、本発明の自動分析装置は、上記の発明において、前記収容手段は、アリコート容器であることを特徴とする。
【００１６】
また、本発明の自動分析装置は、上記の発明において、前記アリコート容器は、収容する検体が替わるたびに洗浄して再使用されることを特徴とする。
【００１７】
また、本発明の自動分析装置は、上記の発明において、前記アリコート容器は、収容する検体が替わるたびに廃棄され、新しい容器に変更されることを特徴とする。
【００１８】
また、本発明の自動分析装置は、上記の発明において、１検体毎にキャリーオーバー回避レベルの低い分析項目の分析に要する検体量を算出する算出手段と、前記算出手段により算出した検体量を記憶する記憶手段を備えることを特徴とする。
【００１９】
また、本発明の自動分析装置は、上記の発明において、キャリーオーバー回避レベルの高い分析項目について再検査を行なう場合は、新しいチップを装填した前記第１検体分注手段を用いて前記検体容器から分注し、キャリーオーバー回避レベルの低い分析項目について再検査を行なう場合は、新しいチップを装填した前記第１検体分注手段を用いて前記検体容器から前記収容手段に検体小分け後、前記第２検体分注手段で前記収容手段から分注するよう制御する分注制御部を備えることを特徴とする。
【００２０】
また、本発明の自動分析装置は、上記の発明において、前記第２検体分注手段のプローブを洗浄する洗浄装置を備えることを特徴とする。
【００２１】
また、本発明の自動分析装置は、上記の発明において、キャリーオーバー回避レベルの高い分析項目を分析する分析モジュールと、キャリーオーバー回避レベルの低い分析項目を分析する分析モジュールとが、個別のユニットとして設置されることを特徴とする。
【００２２】
また、本発明の自動分析装置は、上記の発明において、キャリーオーバー回避レベルの高い分析項目を分析する分析モジュールと、キャリーオーバー回避レベルの低い分析項目を分析する分析モジュールとが、１つのユニット内に設置されることを特徴とする。
【００２３】
また、本発明の自動分析装置の検体分注方法は、キャリーオーバー回避レベルの高い分析項目と、キャリーオーバー回避レベルの低い分析項目の両方の分析を行う自動分析装置における検体分注方法であって、キャリーオーバー回避レベルの低い分析項目の分析に要する検体を、キャリーオーバー回避レベルの高い分析項目の検体分注用のディスポーザブルチップを使用する第１検体分注手段を用いて、検体容器から収容手段に分注する小分け分注ステップと、同一検体について、前記検体容器から前記第１検体分注手段を使用してキャリーオーバー回避レベルの高い分析項目用の検体を分注する第１検体分注ステップと、同一検体について、前記収容手段から連続使用するプローブを装填する第２検体分注手段を使用してキャリーオーバー回避レベルの低い分析項目用の検体を分注する第２検体分注ステップと、を含むことを特徴とする。
【００２４】
また、本発明の自動分析装置の検体分注方法は、上記発明において、同一検体について、前記第１検体分注ステップと前記第２検体分注ステップとを並行して行なうことを特徴とする。
【００２５】
また、本発明の自動分析装置の検体分注方法は、上記の発明において、キャリーオーバー回避レベルの高い分析項目は免疫学的分析項目または遺伝学的分析項目であり、キャリーオーバー回避レベルの低い分析項目は生化学的分析項目であることを特徴とする。
【００２６】
また、本発明の自動分析装置の検体分注方法は、上記の発明において、前記収容手段は、アリコート容器であることを特徴とする。
【００２７】
また、本発明の自動分析装置の検体分注方法は、上記の発明において、前記アリコート容器は、収容する検体が替わるたびに洗浄して使用されることを特徴とする。
【００２８】
また、本発明の自動分析装置の検体分注方法は、上記の発明において、前記アリコート容器は、収容する検体が替わるたびに新しいものに変更されることを特徴とする。
【００２９】
また、本発明の自動分析装置の検体分注方法は、上記の発明において、１検体毎にキャリーオーバー回避レベルの低い分析項目の分析に要する検体量を算出する算出ステップと、前記算出ステップで算出した検体量を記憶する記憶手段から、前記検体量を抽出する抽出ステップを含むことを特徴とする。
【００３０】
また、本発明の自動分析装置の検体分注方法は、上記の発明において、キャリーオーバー回避レベルの高い分析項目について再検査を行なう場合は、新しいチップを装填した前記第１検体分注手段を用いて前記検体容器から分注し、キャリーオーバー回避レベルの低い分析項目について再検査を行なう場合は、新しいチップを装填した前記第１検体分注手段を用いて前記検体容器から前記収容手段に検体小分け後、前記第２検体分注手段で前記収容手段から分注することを特徴とする。
【００３１】
また、本発明の自動分析装置の検体分注方法は、上記の発明において、前記第１検体分注ステップ後に、前記第１検体分注手段のチップを廃棄、交換するノズルチップ交換ステップを含むことを特徴とする。
【００３２】
また、本発明の自動分析装置の検体分注方法は、上記の発明において、前記第２検体分注ステップは、１つの分析項目の分注が終了するたびに前記第２検体分注手段の金属プローブを洗浄装置にて洗浄する洗浄ステップを含むことを特徴とする。
【発明の効果】
【００３３】
本発明においては、キャリーオーバー回避レベルの高い分析項目の再検査時においてキャリーオーバーを回避できるとともに、キャリーオーバー回避レベルの低い分析項目の検体分注およびその後の分析を待機させる必要がなく、処理能力の大幅な向上が可能となる。
【発明を実施するための最良の形態】
【００３４】
以下、添付図面を参照して、この発明の実施の形態にかかる自動分析装置および、該自動分析装置における検体分注方法について、血液などの液体検体をサンプルとして生化学分析項目および免疫学分析項目の両方の分析を行う自動分析装置を例に説明する。以下の説明で参照する図面は模式的なものであって、同じ物体を異なる図面で示す場合には、寸法や縮尺等が異なる場合もある。なお、この実施の形態によりこの発明が限定されるものではない。また、図面の記載において、同一部分には同一の符号を付している。
【００３５】
（実施の形態１）
図１は、本発明の実施の形態１である自動分析装置を示す概略構成図である。自動分析装置１は、血液や尿などの検体（液体）と、検査項目に応じた試薬とを混合して反応させた反応液の光学的特性を測定することにより検体の成分濃度などを分析するものである。この自動分析装置１は、検体と試薬との間の反応物を通過する光、または反応液から発する発光量を測光分析する測定機構としての生化学的分析ユニット１１および免疫学的分析ユニット１２と、生化学的分析ユニット１１および免疫学的分析ユニット１２を含む自動分析装置１全体の制御を行なうとともに、測定機構における測定結果の分析を行なう制御機構１０とを備える。自動分析装置１は、これらの二つの機構が連携することによって複数の検体の分析を自動的に行なう。
【００３６】
まず、生化学的分析ユニット１１について説明する。生化学的分析ユニット１１は、大別して、反応テーブル３と、試薬テーブル４、４Ａと、試薬分注装置７、７Ａと、分注プローブ洗浄装置８、８Ａ、４４とを備えている。
【００３７】
反応テーブル３は、円環状のテーブルを有し、該テーブルの周方向に沿って等間隔で複数配置された収納部３１を備えている。各収納部３１には、検体と試薬を収容する透明な反応容器３２が上方に向けて開口した形態で着脱自在に収納される。また、反応テーブル３は、反応テーブル３の中心を通る鉛直線を回転軸として反応テーブル駆動部（図示せず）によって図１に矢印で示す方向に回転する。反応テーブル３が回転すると反応容器３２は、第２検体分注装置５によって検体が吐出される検体吐出位置Ａや、試薬分注装置７および７Ａによって試薬が吐出される試薬吐出位置Ｂ、Ｃに搬送される。反応テーブル３の上方には開閉自在な蓋（図示せず）が、下方には検体と試薬の反応を促進させる温度に加温するための恒温槽（図示せず）がそれぞれ設けられる。
【００３８】
測光装置３３は、光源３３ａおよび受光部３３ｂを有している。光源３３ａは、所定波長の分析光を出射する。受光部３３ｂは、光源３３ａから出射されて、反応容器３２に収容された検体と試薬が反応した反応液を透過した光束を測定する。測光装置３３は、前記光源３３ａと受光部３３ｂが反応テーブル３の収納部３１を挟んで半径方向に対向する位置に配置されている。なお、反応テーブル３には、測定後の反応液を反応容器３２から排出し、反応容器３２を洗浄する反応容器洗浄装置３４が備えられる。
【００３９】
試薬テーブル４および４Ａは、円盤状のテーブルを有し、該テーブルの周方向に沿って等間隔で複数配置された収納部４１を備えている。各収納部４１には、試薬を収容した試薬容器４２が着脱自在に収納される。試薬容器４２は、上方に向いて開口する開口部４２ａを有している。また、試薬テーブル４および４Ａは、試薬テーブル４の中心を通る鉛直線を回転軸として試薬テーブル駆動部（図示せず）によって図１に矢印で示す方向に回転する。試薬テーブル４が回転すると試薬容器４２は、試薬分注装置７および７Ａによって試薬が吸引される試薬吸引位置に搬送される。ここで、試薬テーブル４および４Ａの外周には、試薬容器４２に貼付した情報記録媒体に記録された試薬情報を読み取り、制御部１０１へ出力する読取装置（図示せず）が設置されている。試薬テーブル４および４Ａの上方には、試薬の蒸発や変性を抑制するため、開閉自在な蓋（図示せず）が設けられており、下方には試薬冷却用の恒温槽（図示せず）が設けられている。
【００４０】
試薬分注装置７は、試薬の吸引および吐出を行なう分注ノズルが先端部に取り付けられ、鉛直方向への昇降および自身の基端部を通過する鉛直線を中心軸とする回転を自在に行なうアームを備える。試薬分注装置７は、試薬テーブル４と反応テーブル３との間に設けられ、試薬テーブル４によって所定位置に搬送された試薬容器４２内の試薬を分注ノズルによって吸引し、アームを旋回させ、反応テーブル３によって所定位置に搬送された反応容器３２に分注して試薬を所定タイミングで反応テーブル３上の反応容器３２内に移送する。試薬分注装置７Ａについても同様である。
【００４１】
検体容器移送機構４０は、配列された複数のラック２２ｂを矢印方向に沿って１つずつ歩進させながら移送する。ラック２２ｂは、検体を収容した複数の検体容器２２を保持している。検体容器移送機構４０によってラック２２ｂが歩進され、検体吸引位置Ｄに移送されると、後述する第１検体分注装置６によって検体容器２２内の検体を吸引し、アリコート容器９に吐出して、検体を小分けする。その後、第２検体分注装置５によりアリコート容器９内に小分けされた検体を吸引し、反応容器３２に吐出することにより生化学分析用の検体分注を行う。アリコート容器９は、繰り返し使用される第２検体分注装置５の分注プローブから検体容器２２中の検体へのキャリーオーバーを回避するために設置される生化学分析項目用検体の収容容器であり、第１検体分注装置６および第２検体分注装置５の両プローブの軌跡上であって、交差する位置に設けられる。アリコート容器９は、小分け分取専用のアリコート容器９のほか、検体を検体容器２２から小分けして収容しうるものであればよく、自動分析装置１で他の目的に使用される反応容器３２、３２Ａなども代用することが可能である。
【００４２】
第２検体分注装置５は、検体の吸引および吐出を行なう分注プローブが先端部に取り付けられ、鉛直方向への昇降および自身の基端部を通過する鉛直線を中心軸とする回転を自在に行なうアームを備える。第２検体分注装置５は、アリコート容器９内の検体を分注プローブによって吸引し、アームを旋回させ、反応テーブル３によって検体吐出位置Ａに搬送された反応容器３２に分注して検体を所定タイミングで反応テーブル３上の反応容器３２内に移送する。
【００４３】
図２に第２検体分注装置５の概略構成図を示す。第２検体分注装置５は、図２に示すように金属製の分注プローブ５０を有している。分注プローブ５０は、ステンレスなどによって棒管状に形成されたもので、先端側はテーパー形状をとる。先端を下方に向けて上方の基端がアーム５１の先端に取り付けてある。アーム５１は、水平配置され、その基端が支軸５２の上端に固定してある。支軸５２は、鉛直配置されており、分注プローブ移送部５３によって鉛直軸Ｏを中心として回転する。支軸５２が回転すると、アーム５１が水平方向に旋回して、分注プローブ５０を水平方向に移動させる。また、支軸５２は、分注プローブ移送部５３によって鉛直軸Ｏに沿って昇降する。支軸５２が昇降すると、アーム５１が鉛直方向に昇降して、分注プローブ５０を鉛直（上下）方向であって分注プローブ５０の長手方向に昇降させる。
【００４４】
分注プローブ５０の基端には、チューブ５４ａの一端が接続される。このチューブ５４ａの他端は、シリンジ５５に接続される。シリンジ５５は、チューブ５４ａの他端が接続された筒状のシリンダー５５ａと、シリンダー５５ａの内壁面に摺動しながらシリンダー５５ａ内を進退可能に設けられたプランジャー５５ｂとを有する。プランジャー５５ｂは、プランジャー駆動部５６に接続される。プランジャー駆動部５６は、例えばリニアモーターを用いて構成され、シリンダー５５ａに対するプランジャー５５ｂの進退移動を行うものである。シリンジ５５のシリンダー５５ａには、チューブ５４ｂの一端が接続される。このチューブ５４ｂの他端は、押し出し液Ｌ１を収容するタンク５７に接続される。また、チューブ５４ｂの途中には、電磁弁５８およびポンプ５９が接続される。なお、押し出し液Ｌ１としては、蒸留水や脱気水などの非圧縮性流体が適用される。この押し出し液Ｌ１は、分注プローブ５０の内部の洗浄を行う洗浄液としても適用される。
【００４５】
第２検体分注装置５は、ポンプ５９を駆動し、電磁弁５８を開状態にすることでタンク５７に収容されている押し出し液Ｌ１が、チューブ５４ｂを経てシリンジ５５のシリンダー５５ａ内に充填され、さらにシリンダー５５ａからチューブ５４ａを経て分注プローブ５０の先端まで満たされる。このように押し出し液Ｌ１が分注プローブ５０の先端まで満たされた状態で、電磁弁５８を閉状態にし、ポンプ５９を止めておく。そして、検体や試薬の吸引を行う場合、プランジャー駆動部５６を駆動してプランジャー５５ｂをシリンダー５５ａに対して後退移動させることにより、押し出し液Ｌ１を介して分注プローブ５０の先端部に吸引圧が印加され、この吸引圧によって検体や試薬が吸引される。一方、検体や試薬の吐出を行う場合には、プランジャー駆動部５６を駆動してプランジャー５５ｂをシリンダー５５ａに対して進出移動させることにより、押し出し液Ｌ１を介して分注プローブ５０の先端部に吐出圧が印加され、この吐出圧によって検体や試薬が吐出される。
【００４６】
分注プローブ洗浄装置４４は、第２検体分注装置５が備える分注プローブ５０の水平移動の軌跡の途中位置に設けられ、検体間のキャリーオーバー防止のために、分注プローブ５０により検体の分注を行なうたびに該分注プローブ洗浄装置４４にて分注プローブ５０の洗浄を行なう。分注プローブ洗浄装置４４の洗浄槽に貯留した洗浄水に分注プローブ５０を浸漬、またはシャワー等の噴射圧力を用いて外壁面を洗浄し、内壁面は、押し出し液Ｌ１を分注プローブ５０から噴出させることにより洗浄する。分注プローブ洗浄装置８および８Ａも同様である。
【００４７】
このような構成の生化学的分析ユニット１１において、検体容器移送機構４０により検体容器２２を収容したラック２２ｂが検体吸引位置Ｄに搬送された後、第１検体分注装置６によりアリコート容器９に検体が小分け分注され、第２検体分注装置５によりアリコート容器９内の検体を吸引し、試薬が分注された反応容器３２内に検体を吐出する。反応容器３２にさらに試薬を分注し、反応テーブル３によって周方向に沿って搬送される間に検体と試薬とが攪拌されて反応し、光源３３ａと受光部３３ｂとの間を通過する。このとき、光源３３ａから出射され、反応容器３２内の反応液を通過した分析光は、受光部３３ｂによって測光されて成分濃度などが分析される。そして、分析が終了した反応容器３２は、反応容器洗浄装置３４によって測定後の反応液が排出されて洗浄された後、再度検体の分析に使用される。
【００４８】
つぎに、免疫学的分析ユニット１２について説明する。免疫学的分析ユニット１２は、大別して、免疫反応テーブル２４と、ＢＦテーブル２５と、試薬テーブル２６および２７と、試薬分注装置２８および２９と、酵素反応テーブル３０と、測光装置３７と、反応容器移送部３５および３６と、分注プローブ洗浄装置３８および３９と、チップ装填ユニット４３とを備えている。
【００４９】
免疫学的分析ユニット１２の各構成要素は、生化学的分析ユニットと共通するものが多いので、以下、免疫学的分析ユニットに特徴的な各要素について説明する。
【００５０】
試薬テーブル２６および２７は、試薬容器を複数収納し、各試薬容器には、免疫学的分析項目の分析に使用される試薬であって、分析対象である検体内の抗原または抗体と特異的に結合する反応物質を固相した磁性粒子を含む試薬や、磁性粒子と結合した抗原または抗体と特異的に結合する標識物質（たとえば酵素）、標識物質との酵素反応によって発光する基質を含む基質液が収容されている。
【００５１】
免疫反応テーブル２４は、反応容器３２Ａ内で検体と所定の試薬とを反応させるための反応ラインを有し、検体と磁性粒子試薬との第一反応用の外周ラインと、検体と標識試薬との第二反応用の内周ラインの２つの反応ラインを有する。各反応ラインには、反応容器３２Ａを収容する反応容器収容部が複数形成される。免疫反応テーブル２４は、免疫反応テーブル２４の中心を通る鉛直線を回転軸として図１の矢印の方向に回動自在であり、免疫反応テーブル２４の図示しない反応容器収容部に収容された反応容器３２Ａを所定タイミングで検体吐出位置Ｅ等に移送する。
【００５２】
ＢＦテーブル２５は、所定の洗浄液を吸引吐出して検体または試薬における未反応物質を分離するＢＦ（ｂｏｕｎｄ−ｆｒｅｅ）分離を実施するＢＦ洗浄処理を行なう。ＢＦテーブル２５は、ＢＦテーブル２５の中心を通る鉛直線を回転軸として図１の矢印の方向に回動自在であり、ＢＦテーブル２５に配置された反応容器３２Ａを所定タイミングで所定位置に移送する。ＢＦテーブル２５は、ＢＦ分離に必要な磁性粒子を集磁する集磁機構と、ＢＦ液を反応容器内に吐出・吸引してＢＦ分離を実施するＢＦ洗浄プローブを有するＢＦ洗浄部と、集磁された磁性粒子を分散させる攪拌機構とを有する。
【００５３】
酵素反応テーブル３０は、反応容器３２Ａ内に注入された基質液内の基質が発光可能となる酵素反応処理を行なうための反応ラインである。酵素反応テーブル３０には、周方向に反応容器３２Ａを収容する反応容器収容部が形成される。酵素反応テーブル３０は、酵素反応テーブル３０の中心を通る鉛直線を回転軸として図１の矢印の方向に回動自在であり、酵素反応テーブル３０に配置された反応容器３２Ａを所定タイミングで所定位置に移送する。
【００５４】
反応容器移送部３５および３６は、鉛直方向への昇降および自身の基端部を通過する鉛直線を中心軸とする回転を自在に行ない、検体および所定の試薬を収容した反応容器３２Ａを所定タイミングで、免疫反応テーブル２４、ＢＦテーブル２５、酵素反応テーブル３０、測光装置３７、図示しない反応容器供給部および反応容器廃棄部の所定位置に移送するアームを備える。
【００５５】
第１検体分注装置６は、検体容器移送機構４０により検体吸引位置Ｄに搬送された検体容器２２内の検体を、アリコート容器９に生化学分析用の検体として小分け分注し、同一検体について免疫学分析項目がオーダーされている場合には、免疫学分析項目用に検体容器２２内から検体を吸引し、検体吐出位置Ｅにおいて免疫反応テーブル２４に保持される反応容器３２Ａに検体を吐出する。
【００５６】
図３に示すように、第１検体分注装置６は、検体の吸引および吐出を行なうディスポーザブルチップ６０ａが連結管６０の先端部に取り付けられ、鉛直方向への昇降および自身の基端部を通過する鉛直線を中心軸とする回転を自在に行なう。第１検体分注装置６は、ディスポーザブルチップ６０ａが連結管６０の先端部に取り付けられている点を除き、第２検体分注装置と同様の構造を有する。
【００５７】
チップ装填ユニット４３は、複数のチップを整列したチップケースを設置しており、このケースからディスポーザブルチップ６０ａが供給される。このディスポーザブルチップ６０ａは、免疫学分析項目測定時のキャリーオーバー防止のため、第１検体分注装置６の連結管６０の先端部に装着され、検体分注ごとに交換される使い捨てのサンプルチップである。また、チップ装填ユニット４３において、ディスポーザブルチップ６０ａの連結管６０への装着のほか、ディスポーザブルチップ６０ａの脱着を行い、使用済みのディスポーザブルチップ６０ａの廃棄ボックスを有している。
【００５８】
このような構成の免疫学的分析ユニット１２において、検体容器移送機構４０により検体容器２２を収容したラック２２ｂが検体吸引位置Ｄに搬送された後、ディスポーザブルチップ６０ａが装着された第１検体分注装置６により検体容器２２内の検体を反応容器３２Ａ内に分注する。反応容器３２Ａ内には、さらに磁性粒子、標識物質、基質液などの試薬がＢＦ洗浄等による未反応物質等の除去のステップを挟んで分注され、検体と各試薬の反応により生成した免疫複合体と基質とが作用し、基質から発せられる発光を測光装置３７により測定する。
【００５９】
つぎに、制御機構１０について説明する。図１に示すように、制御機構１０は、制御部１０１、入力部１０２、分析部１０３、記憶部１０４、出力部１０５、送受信部１０７を備える。制御機構１０が備える各部は、制御部１０１に電気的に接続されている。制御部１０１は、ＣＰＵ等を用いて構成され、自動分析装置１の各部の処理および動作を制御する。制御部１０１は、これらの各構成部位に入出力される情報について所定の入出力制御を行い、かつ、この情報に対して所定の情報処理を行う。制御部１０１は、算出部１０１ａと、分注制御部１０１ｂを備える。算出部１０１ａは、分析を行う１検体毎に、キャリーオーバー回避レベルの低い分析項目である、生化学分析に要する検体量を合算して算出する。分注制御部１０１ｂは、キャリーオーバー回避レベルの高い分析項目である免疫学分析項目について再検査が必要な場合は、新しいチップ６０ａを装填した第１検体分注装置６を用いて検体容器２２から反応容器３２Ａに分注させ、キャリーオーバー回避レベルの低い分析項目である生化学分析項目について再検査を行なう場合は、新しいディスポーザブルチップ６０ａを装填した第１検体分注装置６を用いて検体容器２２からアリコート容器９に検体小分け後、第２検体分注装置５でアリコート容器９から検体を分注するような制御を行なう。分析部１０３は、制御部１０１を介して各ユニットの測光装置３３および３７に接続され、光量に基づいて検体の成分濃度等を分析し、分析結果を制御部１０１に出力する。入力部１０２は、制御部１０１へ検査項目等を入力する操作を行う部分であり、例えば、キーボードやマウス等が使用される。
【００６０】
記憶部１０４は、情報を磁気的に記憶するハードディスクと、自動分析装置１が処理を実行する際にその処理にかかわる各種プログラムをハードディスクからロードして電気的に記憶するメモリとを用いて構成され、検体の分析結果等を含む諸情報を記憶する。記憶部１０４は、ＣＤ−ＲＯＭ、ＤＶＤ−ＲＯＭ、ＰＣカード等の記憶媒体に記憶された情報を読み取ることができる補助記憶装置を備えてもよい。また、記憶部１０４は、算出部１０１ａにより算出した、生化学分析項目の分析に要する検体量を検体ごとに記憶する。
【００６１】
出力部１０５は、プリンタ、スピーカー等を用いて構成され、制御部１０１の制御のもと、分析に関する諸情報を出力する。出力部１０５は、ディスプレイ等を用いて構成された表示部１０６を備える。表示部１０６は、分析内容や警報等を表示するもので、ディスプレイパネル等が使用される。入力部１０２および表示部１０６はタッチパネルによって実現するようにしてもよい。送受信部１０７は、図示しない通信ネットワークを介して所定の形式にしたがった情報の送受信を行なうインターフェースとしての機能を有する。
【００６２】
また、制御部１０１には、上述した第１検体分注装置６および第２検体分注装置５の各部、分注プローブ移送部５３および６３、プランジャー駆動部５６および６６、電磁弁５８および６８、およびポンプ５９および６９が接続されている。制御機構１０は、自動分析装置１の各処理にかかわる各種プログラムを用いて、第１検体分注装置６および第２検体分注装置５の動作処理の制御も行なう。
【００６３】
以上のように構成される自動分析装置１において、入力部１０２により検査オーダー受付後、算出部１０１ａにより１検体ごとに生化学分析項目の分析に要する検体量を合算により算出し、算出した検体量を第１検体分注装置６で検体容器２２から吸引し、アリコート容器９に小分け分注する。生化学分析項目用の検体は、第２検体分注装置５によりアリコート容器９から吸引し、反応容器３２に吐出する。免疫学分析項目用の検体の分注は、第１検体分注装置６により検体容器２２から直接吸引し、反応容器３２Ａに吐出する。第２検体分注装置５および第１検体分注装置６で検体分注後、生化学的分析ユニット１１および免疫学的分析ユニット１２において分析が行われ、分析結果により再検査が必要な場合には、分注制御部１０１ｂの制御のもと、再度検体容器２２から第１検体分注装置６による小分け分注または免疫学分析用分注が行われ、小分け分注後のアリコート容器９から第２検体分注装置５による生化学分析用分注が行われる。このように、キャリーオーバーを引き起こしやすい第２検体分注装置５について、検体容器２２から直接検体を分注させないようにするだけで、再検査が必要な場合でもキャリーオーバーを完全に回避することができる。また、本発明に係る実施の形態１では、第２検体分注装置５および第１検体分注装置６を使用した分注を並行して行なうことが可能となり、処理能力の大幅な向上が可能になるものである。
【００６４】
次に、本発明の実施の形態１にかかる検体分注方法について、図４および５を参照して詳細に説明する。図４は実施の形態１にかかる自動分析装置１の分注動作の処理手順を示すフローチャートである。図５は、図４に示す再検査処理の処理手順を示すフローチャートである。まず、図４に示すように、検体毎に検査オーダーを受け付ける（ステップＳ１０１）。検体番号と分析項目とからなる検査オーダー表に基づき、入力部１０２を介して検査オーダーが受け付けられる。算出部１０１ａは、受け付けられた１検体毎に生化学分析項目の分析に要する検体量を合算して算出する（ステップＳ１０２）。各分析項目の分析に要する検体量は、すべての分析項目毎に検体分注量または検体吸引量として記憶部１０４に記憶されているので、制御部１０１の制御のもと、記憶部１０４から検査オーダーのあった生化学分析項目の検体分注量または検体吸引量を抽出して、算出部１０１ａで合算算出し、記憶部１０４に記憶させる。ここで、検体分注量は、実際の分析に要する検体量を意味し、検体吸引量は、分析に要する検体量に、押し出し液での検体の薄まりを考慮して余分に吸引した検体量を加えたものを意味する。
【００６５】
すべての検査オーダーの受付終了（ステップＳ１０３、Ｎｏ）まで、検査オーダーの受付および検体量の算出が繰り返され、すべての検査オーダーの受付終了後（ステップＳ１０３、Ｙｅｓ）、制御部１０１の制御のもと、チップ装填ユニット４３において、第１検体分注装置６の連結管６０にディスポーザブルチップ６０ａを装填する（ステップＳ１０４）。ディスポーザブルチップ６０ａ装填後、ステップＳ１０２で算出した、これから分析を行う検体の生化学分析項目すべての分析に要する検体量を記憶部１０４から抽出し（ステップＳ１０５）、第１検体分注装置６を使用して検体容器２２から合算された検体量を吸引して（ステップＳ１０６）、アリコート容器９に検体を吐出する（ステップＳ１０７）。
【００６６】
その後、免疫分析項目の検体分注は第１検体分注装置６により検体容器２２から分注が行なわれ、生化学分析項目の検体分注は第２検体分注装置５により検体が小分け分注されたアリコート容器９から分注が行われる。同一検体について、免疫分析項目の検体分注と生化学分析項目の検体分注を並行して行なうことができるため、処理能力の向上を計ることが可能となる。まず、免疫分析項目の検体分注について説明する。これから分注を行なう検体について、免疫分析項目の検査オーダーがされているか否かを確認する（ステップＳ１０８）。検査オーダーされている場合は（ステップＳ１０８、Ｙｅｓ）、免疫分析項目用の検体を第１検体分注装置６により検体容器２２から吸引し（ステップＳ１０９）、免疫反応テーブル２４上に保持される反応容器３２Ａに検体を吐出する（ステップＳ１１０）。同一検体について、すべての免疫分析項目の分注が終了したか確認し（ステップＳ１１１）、終了していない場合は（ステップＳ１１１、Ｎｏ）、ステップＳ１０９〜Ｓ１１０を繰り返し、終了した場合は（ステップＳ１１１、Ｙｅｓ）、装填していたチップ６０ａをチップ装填ユニット４３で脱着し、廃棄する（ステップＳ１１２）。検査オーダーされていない場合も（ステップＳ１０８、Ｎｏ）、同様に装填していたチップ６０ａをチップ装填ユニット４３で脱着し、廃棄する（ステップＳ１１２）。検体が吐出された反応容器３２Ａには、分析対象と反応する反応物質を固相した磁性粒子を含む試薬がすでに分注されており、検体分注後、反応容器移送部３５によりＢＦテーブル２５に搬送されてＢＦ洗浄が行なわれ、標識物質の分注、ＢＦ洗浄、基質液の分注の後、反応容器移送部３５による酵素反応テーブル３０への搬送を経て、測光装置３７で発光が測定される。
【００６７】
一方、生化学分析項目の検体分注は、第２検体分注装置５により検体が小分け分注されたアリコート容器９から吸引し（ステップＳ１１３）、反応テーブル３に保持される反応容器３２に検体を吐出する（ステップＳ１１４）。分注プローブ洗浄装置４４で分注プローブ５０を洗浄後（ステップＳ１１５）、同一検体についてすべての生化学分析項目の分注が終了したか確認し（ステップＳ１１６）、終了していない場合は（ステップＳ１１６、Ｎｏ）、ステップＳ１１３〜Ｓ１１５を繰り返し、終了した場合は（ステップＳ１１６、Ｙｅｓ）、その後の工程に移行する。検体が分注された反応容器３２には、第１試薬がすでに分注されており、検体分注後、第２試薬が分注され、測光装置３３で吸光度が測定される。反応に使用された反応容器３２は、反応容器洗浄装置３４で洗浄され、再使用される。アリコート容器９も、図示しない洗浄装置で洗浄の後再使用することも可能であり、また使い捨てアリコート容器９の使用も可能である。
【００６８】
免疫分析項目および生化学分析項目すべての分注が終了後、同一検体についての再検査の要求があるか確認し（ステップＳ１１７）、再検査のオーダーがある場合は（ステップＳ１１７、Ｙｅｓ）、後述する再検査の処理工程を行なう（ステップＳ１１８）。再検査のオーダーがない場合は（ステップＳ１１７、Ｎｏ）、すべての検体の分注が終了したか否かを確認し（ステップＳ１１９）、すべての検体の分注が終了していない場合は（ステップＳ１１９、Ｎｏ）、ステップＳ１０４から再度検体の分注を行なう。すべての検体の分注が終了した場合は（ステップＳ１１９、Ｙｅｓ）、検体分注処理は終了する。
【００６９】
つぎに、再検査処理について、図５を参照して説明する。図５に示すように、チップ装填ユニット４３において、第１検体分注装置６の連結管６０にディスポーザブルチップ６０ａを装填する（ステップＳ２０１）。ディスポーザブルチップ６０ａ装填後、再検査が必要な分析項目が生化学か否か確認する（ステップＳ２０３）。再検査が必要な分析項目が生化学である場合は（ステップＳ２０２、Ｙｅｓ）、再検査が必要な生化学分析項目の検体量を合算により算出し（ステップＳ２０３）、第１検体分注装置６を使用して検体容器２２から合算された検体量を吸引して（ステップＳ２０４）、アリコート容器９に検体を吐出する（ステップＳ２０５）。
【００７０】
その後、再検査の分注処理に移行する。免疫分析項目と生化学分析項目の再検査用の検体分注は並行して行なわれる。まず、免疫分析項目の分注であるが、免疫分析項目の再検査がオーダーされているか確認し（ステップＳ２０６）、オーダーされている場合は（ステップＳ２０６、Ｙｅｓ）、免疫分析項目再検査用の検体を第１検体分注装置６により検体容器２２から吸引し（ステップＳ２０７）、免疫反応テーブル２４上に保持される反応容器３２Ａに検体を吐出する（ステップＳ２０８）。同一検体について、すべての免疫分析項目の再検査用の分注が終了したか確認し（ステップＳ２０９）、終了していない場合は（ステップＳ２０９、Ｎｏ）、ステップＳ２０７〜Ｓ２０８を繰り返し、終了した場合は（ステップＳ２０９、Ｙｅｓ）、装填していたディスポーザブルチップ６０ａをチップ装填ユニット４３で脱着し、廃棄する（ステップＳ２１０）。
【００７１】
一方、生化学分析項目の再検査用の検体分注は、生化学分析項目の再検査用の検体を第２検体分注装置５によりアリコート容器９から吸引し（ステップＳ２１１）、反応テーブル３に保持される反応容器３２に検体を吐出する（ステップＳ２１２）。分注プローブ洗浄装置４４で分注プローブ５０を洗浄後（ステップＳ２１３）、同一検体について、すべての生化学分析項目の再検査用の分注が終了したか確認し（ステップＳ２１４）、終了していない場合は（ステップＳ２１４、Ｎｏ）、ステップＳ２１１〜Ｓ２１３を繰り返し、終了した場合は（ステップＳ２１４、Ｙｅｓ）、再検査用の検体分注は終了する。
【００７２】
なお、実施の形態１における自動分析装置の分注処理の手順は、１検体毎に再検査の要求の有無を確認するものであるが、変形例として、図６に示すように、検査オーダーされたすべての検体の分注終了後に（ステップＳ３１７、Ｙｅｓ）、再検査の要求があるか否か確認し（ステップＳ３１８）、再検査の要求がある場合に（ステップＳ３１８、Ｙｅｓ）、上述した再検査処理を行い（ステップＳ３１９）、再検査の要求がなされたすべての検体について再検査が終了するまで（ステップＳ３２０、Ｙｅｓ）順次再検査を行なうことも可能である。この変形例によれば、再検査の有無が迅速に判断できない場合でも分注処理を進めることができるので、処理能力のさらなる向上が可能となる。
【００７３】
また、実施の形態１における検体分注方法では、検査オーダーされた検体すべてについて生化学分析項目に要する検体量を合算算出し（ステップＳ１０２）、算出された検体量を第１検体分注装置５によりアリコート容器９に小分け分注しているが（ステップＳ１０４〜Ｓ１０７）、免疫分析項目がオーダーされているか否か確認し、免疫分析項目がオーダーされている場合のみ当該処理を行い、オーダーされていない場合は、検体容器２２から第２検体分注装置５で直接検体分注を行なうものであってよい。
【００７４】
さらに、自動分析装置１は、図７に示すようなアリコート容器搬送部１３を備えていてもよい。アリコート容器搬送部１３は、円盤状のテーブルを有し、該テーブルの周方向に沿って等間隔で複数配置された収納部１５を備え、各収納部１５にアリコート容器９が着脱自在に収納される。また、アリコート容器搬送部１３は、アリコート容器搬送部１３の中心を通る鉛直線を回転軸として試薬テーブル駆動部（図示せず）によって図７に矢印で示す方向に回転し、アリコート容器９を第１検体分注装置６による検体吐出位置Ｆ、および第２検体分注装置５による検体吸引位置Ｇに移送する。アリコート容器搬送部１３には、アリコート容器９を再使用するためのアリコート容器洗浄部１４を備えていてもよい。
【００７５】
さらにまた、実施の形態１では、第１検体分注装置６および第２検体分注装置５が、それぞれ独立して設置されるが、図８に示すような同軸ツインアームユニットの検体分注装置７０を使用することも可能である。検体分注装置７０は、検体容器２２、反応容器３２および３２Ａ、チップ装填ユニット４３、アリコート容器９、および分注プローブ洗浄装置４４などを結ぶ軌跡上を水平方向に回動する駆動アーム７１ａおよび７１ｂを有する。駆動アーム７１ａおよび７１ｂには、分注プローブ７０ａおよび連結管７０ｂが支持され、連結管７０ｂの先端にはディスポーザブルチップ７０ｃが装填される。図８の例では、分注プローブ７０ａを支持する駆動アーム７１ａが、連続的に使用する金属プローブを装填する第２検体分注装置５’であり、ディスポーザブルチップ７０ｃが装填される連結管７０ｂを支持する駆動アーム７１ｂが第１検体分注装置６’である。検体分注装置７０は、駆動アーム７１ａおよび７１ｂをそれぞれ支持する支柱７２ａおよび７２ｂを有する。２本の駆動アーム７１ａおよび７１ｂは、昇降を同一とし、回動を独立させるために、回動モータ７３ａ、７３ｂと昇降モータ７７を有する駆動機構７８を備える。回動モータ７３ａ、７３ｂは、回転軸７４ａ、７４ｂに取り付けたホイール（図示せず）と支柱７２ａ、７２ｂに取り付けたホイール７５ａ、７５ｂとの間にタイミンベルト７６ａ、７６ｂが巻き掛けられている。昇降モータ７７は、タイミンベルト７７ｃによって回転軸７７ａを回転し、昇降ブロック７７ｅをねじ軸７７ｄに沿って上下動させる。タイミンベルト７７ｃは、回転軸７７ａに取り付けたホイールとねじ軸７７ｄの下端に取り付けたホイール７７ｂとの間に巻き掛けられている。ここで、昇降ブロック７７ｅは、支柱７２ａの下端に取り付けて支柱７２ａ、７２ｂを支持しており、ねじ軸７７ｄと共にボールねじを構成している。
【００７６】
駆動アーム７１ａおよび７１ｂは、昇降を同一とするため、昇降時の位置決めをすることが好ましく、分注プローブ７０ａが検体容器２２上に位置し昇降する場合には、分注プローブ７０ｂはアリコート容器９上に位置し、分注プローブ７０ａがアリコート容器９または反応容器３２Ａ上のときは分注プローブ７０ｂは反応容器３２上、分注プローブ７０ａがチップ装填ユニット４３上のときは分注プローブ７０ｂは分注プローブ洗浄装置４４上に位置し、同時に昇降を行なう。図８に示すような検体分注装置７０を使用することにより、スペース効率が改善できるだけでなく、メンテナンス性やユーザーのハンドリング性も向上できるので好ましい。
【００７７】
（実施の形態２）
実施の形態２は、生化学的分析を行う生化学分析モジュールと、免疫学的分析を行う免疫学分析モジュールとを１つの分析ユニット内に備える統合装置において、生化学分析用の検体を小分けするアリコート容器を設置するものである。以下、実施の形態２について、図９を参照して説明する。
【００７８】
図９は、実施の形態２にかかる自動分析装置１Ａを示す概略構成図である。実施の形態２にかかる自動分析装置１Ａは、大別して、分析ユニット１５と、制御機構１０と、検体容器移送機構４０Ａとを備え、分析ユニット１５は、第１検体分注装置６と、第２検体分注装置５と、アリコート容器９と、反応テーブル３（生化学）と、試薬テーブル４Ｂと、免疫反応テーブル２４Ａと、試薬テーブル２６Ａと、試薬分注装置７、７Ａ、２８Ａと、分注プローブ洗浄装置８、８Ａ、３８Ａ、４４と、測光装置３３、３７と、反応容器洗浄装置３４と、チップ装填ユニット４３と、緊急検体テーブル４６と、電解質測定装置（ＩＳＥ）４７、反応容器廃棄口４８とを備える。
【００７９】
自動分析装置１Ａは、生化学分析および免疫学分析の分析工程は、実施の形態１の自動分析装置１とほぼ同様の工程を採用するものであるが、生化学分析モジュールと免疫学分析モジュールとを１つのユニット内に集約させるために、各構成の機能を統合させている。免疫反応テーブル２４Ａは、免疫反応だけでなく酵素反応をも行なう酵素反応テーブルとしての機能も有する。試薬テーブル４Ｂと試薬テーブル２６Ａは、同心円構造をとり、外側に試薬テーブル４Ｂが、内側に試薬テーブル２６Ａがそれぞれ配置される。試薬テーブル４Ｂと試薬テーブル２６Ａは、図示しない駆動部を個々に備えることにより、図９に示す矢印の方向にそれぞれ独立して回転する。試薬テーブル２６Ａ内の試薬容器４２Ａは、円柱状の構造であり、隣りあう試薬容器４２Ａは図示しないギヤで連結されて、図示しない駆動部により駆動されて試薬テーブル２６Ａ上を公転するとともに自転する。
【００８０】
緊急検体テーブル４６は、緊急検体、再検査用検体および割り込み検体のほか、一般検体以外の各種検体（検量線作成用のスタンダード検体、精度管理検体等）をそれぞれ収容する。電解質測定装置（ＩＳＥ）４７は、電解質濃度（イオン濃度）を、イオン選択性電極を用いて測定する装置である。反応容器廃棄口４８は、免疫学分析に使用される使い捨ての反応容器３２Ａの廃棄口である。
【００８１】
自動分析装置１Ａのような、生化学分析モジュールと免疫学分析モジュールとを１つのユニット内に備える統合装置においても、ディスポーザブルチップを使用する第１検体分注装置６と、金属プローブを連続使用する第２検体分注装置５と、生化学分析用の検体を小分けするアリコート容器９とを備えることにより、キャリーオーバー回避レベルの高い免疫学分析項目の再検査時においてキャリーオーバーを回避できるとともに、キャリーオーバー回避レベルの低い生化学分析項目の検体分注およびその後の分析を延期させる必要がなく、処理能力の大幅な向上が可能となる。
【図面の簡単な説明】
【００８２】
【図１】本発明の実施の形態１にかかる自動分析装置を示す概略構成図である。
【図２】図１の自動分析装置で使用される第２検体分注装置を示す概略構成図である。
【図３】図１の自動分析装置で使用される第１検体分注装置を示す概略構成図である。
【図４】実施の形態１にかかる検体分注方法の処理手順を示すフローチャートである。
【図５】図４に示す再検査の処理手順を示すフローチャートである。
【図６】実施の形態１、２、３または４における検査オーダーを示す図である。
【図７】実施の形態１の変形例であるアリコート容器搬送装置の概略構成図である。
【図８】実施の形態１の変形例である同軸ツインアームを有する検体分注装置の斜視図である。
【図９】実施の形態２にかかる自動分析装置を示す概略構成図である。
【符号の説明】
【００８３】
１、１Ａ                          自動分析装置
２                                検体テーブル
８、８Ａ、３８、３９、４４、３８Ａ  分注プローブ洗浄装置
１１                              生化学的分析ユニット
１２                              免疫学的分析ユニット
１５                              分析ユニット
２２                              検体容器
２２ｂ                            検体ラック
２４、２４Ａ                      免疫反応テーブル
２５                              ＢＦテーブル
３                                反応テーブル
３０                              酵素反応テーブル
３２、３２Ａ                      反応容器
３３、３７                        測光装置
３３ａ                            光源
３３ｂ                            受光部
３４                              反応容器洗浄装置
３５、３６                        反応容器移送部
４、４Ａ、２６、２７              試薬テーブル
４２、４２Ａ                      試薬容器
４２ａ                            開口部
５、５’                          第２検体分注装置
６、６’                          第１検体分注装置
７０                              検体分注装置
７、７Ａ、２８、２９              試薬分注装置
９                                アリコート容器
１３                              アリコート容器搬送部
１４                              アリコート容器洗浄部
４０                              検体容器移送機構
４１                              収納部
４３                              チップ装填ユニット
４６                              緊急検体テーブル
４７                              電解質測定装置
４８                              反応容器廃棄口
６０ａ、７０ｃ                    ディスポーザブルチップ
６０、７０ｂ                      連結管
５０、７０ａ                      分注プローブ
５１、６１、７１ａ、７１ｂ        アーム
５２、６２、７２ａ、７２ｂ        支柱
５３、６３                        分注プローブ移送部
５４ａ、５４ｂ、６４ａ、６４ｂ    チューブ
５５、６５                        シリンジ
５５ａ、６５ａ                    シリンダー
５５ｂ、６５ｂ                    プランジャー
５６、６６                        プランジャー駆動部
５７、６７                        タンク
５８、６８                        電磁弁
５９、６９                        ポンプ
１０                              制御機構
１０１                            制御部
１０１ａ                          算出部
１０１ｂ                          分注制御部
１０２                            入力部
１０３                            分析部
１０４                            記憶部
１０５                            出力部
１０６                            表示部
１０７                            送受信部
Ｌ１                              押し出し液
Ｏ                                鉛直軸
【図１】
2010133827.tif 000003
【図２】
2010133827.tif 000004
【図３】
2010133827.tif 000005
【図４】
2010133827.tif 000006
【図５】
2010133827.tif 000007
【図６】
2010133827.tif 000008
【図７】
2010133827.tif 000009
【図８】
2010133827.tif 000010
【図９】
2010133827.tif 000011